(57)【要約】    【課題】スピーカから放音される音声の音圧レベルが高められた場合における良好な受話音質を確保するとともに、このスピーカを作動させるための電子部品やターミナルが搭載される基板の基板面積および電子部品の搭載面積を十分に確保する。    【解決手段】下ケース１ｂにスピーカ１０と基板２０とを順に重ねて配置するにあたり、基板と下ケースとの間に挟み込まれて固定されるスピーカの放音面側に緩衝材３０を配置する。また、基板に穿設させた音圧確保用穴２０ａの穴径をスピーカの外径よりも小さく形成し、基板の裏面側である下ケース側には、背の高い電子部品およびターミナル２０１を配置する。  【選択図】図１
2006222533.tif 000002
【特許請求の範囲】
【請求項１】
上ケース（１ａ）および下ケース（１ｂ）内に、インターホンの音声を放音するためのスピーカ（１０）と、前記インターホンの呼び出し、通話の機能を行うための電子部品（２００ａ、２００ｂ）および前記電子部品への外部配線を接続するためのターミナル（２０１）を搭載した基板（２０）とを収納し、
前記下ケースに前記スピーカと前記基板とを順に重ねて配置するとともに、前記スピーカは放音面が前記基板に穿設された音圧確保用穴（２０ａ）を介して前記上ケースに向かって配置されることを特徴とするインターホンのスピーカ固定構造。
【請求項２】
前記スピーカと前記基板との間に緩衝材（３０）を配置することを特徴とする請求項１記載のインターホンのスピーカ固定構造。
【請求項３】
前記スピーカは、前記基板と前記下ケースとの間に挟み込んで固定することを特徴とする請求項１または請求項２記載のインターホンのスピーカ固定構造。
【請求項４】
背の高い電子部品（２００ａ）および前記ターミナルが前記基板の前記下ケース側に配置されることを特徴とする請求項１乃至請求項３のうち何れか１項記載のインターホンのスピーカ固定構造。
【発明の詳細な説明】
【技術分野】
【０００１】
本発明はインターホンのスピーカ固定構造に係り、特に、薄型化が図られたインターホン機器にスピーカを固定させるための構造に関する。
【背景技術】
【０００２】
従来から図３、図４の各分解斜視図に示すように、インターホンの音声、すなわち、受話音声を放音させるスピーカ５１０の固定構造としては、スピーカ５１０に延設されている一対の固定部品７００、７００を利用して、上ケース５０１ａの内面側から突設された一対のボス６００、６００にビス７０１、７０１を締着させる固定構造が開示されていた（例えば、特許文献１を参照。）。
【０００３】
【特許文献１】特開２００３−３２４２９１号公報
【発明の開示】
【発明が解決しようとする課題】
【０００４】
しかしながら、図３の分解斜視図に示す従来例（以下、第１の従来例という。）のインターホン機器５０１のように、上ケース５０１ａに固定されたスピーカ５１０を作動させるための電子部品８００ａやターミナル（ターミナル端子と同意。）８０１ａが搭載された基板５２０ａを、スピーカ５１０の背面側、すなわち、下ケース５０１ｂ側に配置させると、電子部品８００ａへの外部配線をターミナル８０１ａに接続するにあたって、インターホン機器５０１の厚みは、スピーカ５１０の高さとターミナル８０１ａの高さとの合計が少なくとも必要となり、下ケース５０１ｂに上ケース５０１ａが被蓋されるように嵌め合わされる当該インターホン機器の薄型化が困難であった。
【０００５】
一方、当該インターホン機器の薄型化を図るにあたっては、図４の分解斜視図に示す従来例（以下、第２の従来例という。）のインターホン機器５０１’のように、スピーカ５１０の背面側に基板５２０ｂを配置させない方法が好適であるが、基板５２０ｂの基板面積および電子部品８００ｂの搭載面積を十分に確保できない難点があった。
【０００６】
本発明は、前述の難点を解消するためになされたもので、スピーカから放音される音声の音圧レベルが高められた場合における良好な受話音質を確保するとともに、このスピーカを作動させるための電子部品やターミナルが搭載される基板の基板面積および電子部品の搭載面積を十分に確保することができる薄型化されたインターホンのスピーカ固定構造を提供することを目的としている。
【課題を解決するための手段】
【０００７】
本発明の第１の態様であるインターホンのスピーカ固定構造は、上ケースおよび下ケース内に、インターホンの音声を放音するためのスピーカと、インターホンの呼び出し、通話の機能を行うための電子部品および電子部品への外部配線を接続するためのターミナルを搭載した基板とを収納しており、下ケースにスピーカと基板とを順に重ねて配置するとともに、スピーカは放音面が基板に穿設された音圧確保用穴を介して上ケースに向かって配置されるものである。
【０００８】
また、本発明の第２の態様は、本発明の第１の態様であるインターホンのスピーカ固定構造において、スピーカと基板との間に緩衝材を配置するものである。
【０００９】
また、本発明の第３の態様は、本発明の第１の態様または第２の態様であるインターホンのスピーカ固定構造において、スピーカは、基板と下ケースとの間に挟み込んで固定するものである。
【００１０】
また、本発明の第４の態様は、本発明の第１の態様乃至第３の態様のうち何れか１の態様であるインターホンのスピーカ固定構造において、であるインターホンのスピーカ固定構造は、背の高い電子部品およびターミナルが基板の下ケース側に配置されるものである。
【発明の効果】
【００１１】
本発明のインターホンのスピーカ固定構造によれば、下ケースにスピーカと基板とを順に重ねて配置するにあたり、基板と下ケースとの間に挟み込まれて固定されるスピーカの放音面側には緩衝材が配置されているため、スピーカから放音される音声、すなわち、受話音声の音圧レベルが高められた場合であっても、緩衝材の作用により基板が共振することはなく良好な受話音質を確保できる。
【００１２】
また、本発明のインターホンのスピーカ固定構造によれば、基板に穿設させた音圧確保用穴の穴径はスピーカの外径よりも小さいことから、基板の表面側である上ケース側には、多くの電子部品や回路パターンを配置でき、基板の基板面積および電子部品の搭載面積が十分に確保される。
【００１３】
さらに、本発明のインターホンのスピーカ固定構造によれば、スピーカが配置されている基板の裏面側である下ケース側には、背の高い電子部品およびターミナルを配置でき、インターホン機器の薄型化が可能となる。
【発明を実施するための最良の形態】
【００１４】
以下、本発明によるインターホンのスピーカ固定構造を適用した最良の実施の形態例について、図面を参照して説明する。
【００１５】
図１は、本発明の実施例によるスピーカ固定構造が適用されるインターホン機器１を示す分解斜視図であり、このインターホン機器１は、通常、住戸内に設置され、住戸外の玄関（住戸玄関）に居る来訪者からの呼び出しを報知し、応答操作を行った居住者が通話を成立させるための呼び出し、通話の機能を有している。
【００１６】
図１の分解斜視図に示すインターホン機器１は、後述するスピーカ１０からのインターホンの音声、すなわち、受話音声を当該インターホン機器外に放音させるための放音用穴１００が格子状に穿設された上ケース１ａと、上ケース１ａが被蓋されるように嵌め合わされる下ケース１ｂと、インターホンの音声である受話音声を放音するためのスピーカ１０と、当該インターホン機器の使用者がインターホンの呼び出し、通話の機能を行う電子部品、例えば、スピーカ１０を作動させるための電子部品として図２の斜視図に示す背の高い電子部品２００ａおよび図１の分解斜視図に示す当該背の高い電子部品を除く電子部品２００ｂ、これら電子部品２００ａ、２００ｂへの外部配線を接続するためのターミナル２０１が搭載された基板２０と、スピーカ１０の放音面側と基板２０の裏面側、ここでは、下ケース１ｂ側との間に配置されるゴム、パッキン等の弾性部材からなる緩衝材３０とを有している。
【００１７】
なお、図２は、基板２０を裏面側、すなわち、下ケース１ｂ側から見た斜視図であり、基板２０に搭載される電子部品２００ａ、２００ｂおよびターミナル２０１のうち背の高い電子部品２００ａおよびターミナル２０１は、基板２０の裏面側である下ケース１ｂ側に配置されている一方、背の高い電子部品２００ａを除く電子部品２００ｂは、基板２０の表面側である上ケース１ａ側に配置されている。
【００１８】
また、基板２０には、スピーカ１０の放音面を上ケース１ａに向かって配置させ、スピーカ２０から放音される音声である受話音声の音圧レベルを（十分に）確保するための音圧確保用穴２０ａがスピーカ１０の外径よりも小さい穴径で穿設されている。
【００１９】
さらに、下ケース１ｂには、スピーカ１０の背面側、すなわち、ヨーク部が当接するように対向して設けられる一対ずつのリブ、ここでは、２組のリブ１１０ａ、１１０ａおよび１１０ｂ、１１０ｂが当該下ケースの底面から突設されているばかりでなく、基板２０の裏面側である下ケース１ｂ側に配置されたターミナル２０１が収容され、ターミナル２０１を外圧から保護するためのターミナル用収容口１１１と、前述のターミナル２０１に接続させる外部配線を引き込むための配線用溝１１２とが形成されている。
【００２０】
次に、本発明によるスピーカ固定構造が適用されたインターホン機器１の具体的な組み立て方法について説明する。
【００２１】
図１の分解斜視図および図２の斜視図に示すように、インターホン機器１の下ケース１ｂの底面から対向して突設されている一対ずつ２組のリブ１１０ａ、１１０ａおよび１１０ｂ、１１０ｂにスピーカ１０の背面側であるヨーク部を当接させ、スピーカ１０の放音面側に緩衝材３０を配置した後、基板２０を重ね合わせるにあたり、基板２０に穿設させた音圧確保用穴２０ａを介してスピーカ１０の放音面が上ケース１ａの放音用穴１００に向かい、背の高い電子部品２００ｂとともに基板２０の裏面側である下ケース１ｂ側に配置されているターミナル２０１が当該下ケースに形成されているターミナル用収容口１１１に収容させるように当該基板を配置することにより、放音面側に緩衝材３０が配置されたスピーカ１０は、基板２０と下ケース１ｂとの間に挟み込ませて固定することができる。
【００２２】
なお、下ケース１ｂのターミナル用収容口１１１に収納されたターミナル２０１には、配線用溝１１２から引き込まれた外部配線を結線することができる。
【００２３】
また、放音面側に緩衝材３０が配置されたスピーカ１０を基板２０との間で挟み込み固定させた下ケース１ｂに上ケース１ａを被蓋するように嵌め合わせることにより、インターホン機器１が完成される。
【００２４】
前述の説明から明らかなように、本発明の実施例によれば、基板２０と下ケース１ｂとの間に挟み込まれて固定されるスピーカ１０の放音面側に緩衝材３０が配置されているため、スピーカ１０から放音される音声である受話音声の音圧レベルが高められた場合であっても、緩衝材３０の作用により基板２０が共振することはなく良質の受話音質を確保できる。
【００２５】
また、基板２０に穿設させた音圧確保用穴２０ａの穴径はスピーカ１０の外径よりも小さいことから、基板２０の表面側である上ケース１ａ側には、多くの電子部品２００ｂや回路パターンを配置でき、基板２０の基板面積および電子部品２００ｂの搭載面積が十分に確保される。
【００２６】
また、スピーカ１０が配置されている基板２０の裏面側である下ケース１ｂ側には、背の高い電子部品２００ａおよびターミナル２０１を配置でき、インターホン機器１の薄型化が可能となる。
【００２７】
さらに、下ケース１ｂに上ケース１ａが被蓋されるように嵌め合わされたインターホン機器１の機器外にて静電気が発生し、この静電気が上ケース１ａに穿設させた放音用穴１００を介して当該インターホン機器の筐体内に侵入すると、基板２０に搭載されている電子部品２００ａ、２００ｂやターミナル２０１が破損する虞がある。これを解消するにあたって放音用穴１００の一部を塞ぐことも好適とされるが、本発明の実施例によれば、基板２０に穿設させた音圧確保用穴２０ａの位置を放音用穴１００に対してずらすことができ、放音用穴１００の一部を塞がなくとも静電気の侵入が防止され、上ケース１ａの意匠（デザイン）の自由度が増大する。
【図面の簡単な説明】
【００２８】
【図１】図１は、本発明の実施例によるインターホンのスピーカ固定構造を示す分解斜視図である。
【図２】図２は、本発明の実施例によるインターホンのスピーカ固定構造において、基板を裏面側から見た斜視図である。
【図３】図３は、第１の従来例によるインターホンのスピーカ固定構造を示す分解斜視図である。
【図４】図４は、第２の従来例によるインターホンのスピーカ固定構造を示す分解斜視図である。
【符号の説明】
【００２９】
１ａ……上ケース
１ｂ……下ケース
１０……スピーカ
２０……基板
２０ａ……音圧確保用穴
２００ａ……背の高い電子部品
２００ｂ……（背の高い電子部品を除く）電子部品
３０……緩衝材
【図１】
2006222533.tif 000003
【図２】
2006222533.tif 000004
【図３】
2006222533.tif 000005
【図４】
2006222533.tif 000006